【手続補正書】
【提出日】平成16年2月12日(2004.2.12)
【手続補正１】
【補正対象書類名】明細書
【補正対象項目名】全文
【補正方法】変更
【補正の内容】
【発明の名称】誘導加熱調理器
【特許請求の範囲】
【請求項１】商用電源を開閉する電源スイッチと、前記商用電源から高周波出力するインバータ回路と、このインバータ回路に接続された加熱コイルと、調理容器を支持する支持板と、その温度を検出する温度センサと、前記支持板の温度があらかじめ定められた温度以上の高温のときに警告表示をする表示手段と、前記支持板を冷却する冷却手段と、前記インバータ回路を制御するとともに、前記支持板が前記高温のときに前記表示手段及び前記冷却手段を駆動させる制御手段を備えた誘導加熱調理器において、
前記電源スイッチの開閉を検出する開閉検出手段と、
前記電源スイッチと並列に接続され前記商用電源を開閉する電源回路開閉手段とを備えたことを特徴とする誘導加熱調理器。
【請求項２】制御手段は、開閉検出手段が電源スイッチのオフを検出したとき前記インバータ回路への商用電源の供給を停止することを特徴とする請求項１記載の誘導加熱調理器。
【請求項３】支持台が高温のときには、電源回路開閉手段を閉として作動を続け、表示手段及び冷却手段の駆動を継続することを特徴とする請求項１又は２記載の誘導加熱調理器。
【請求項４】電源スイッチの開閉検出手段は電源スイッチ部と連動する補助接点であることを特徴とする請求項１〜３のいずれかに記載の誘導加熱調理器。
【請求項５】加熱コイルが複数のときに、表示手段は各々の前記加熱コイルの温度に対応した表示を各々前記加熱コイルの近傍にすることを特徴とする請求項１〜４のいずれかに記載の誘導加熱調理器。
【請求項６】商用電源とインバータ回路の間に負荷開閉手段を設け、制御手段は、前記インバータ回路が停止しているときにのみ、前記開閉手段を開閉させることを特徴とする請求項１〜５のいずれかに記載の誘導加熱調理器。
【発明の詳細な説明】
【０００１】
【発明の属する技術分野】
この発明は、電源スイッチをオフとしても、加熱後の支持台が高温のとき警告表示ができ、省エネが可能な信頼性の高い誘導加熱調理器に関する。
【０００２】
【従来の技術】
図７は従来の誘導加熱調理器の回路図である。図において１は商用電源、２は電源スイッチ、１０は電源スイッチ２に接続され前記商用電源１から制御電源を生成する制御電源回路、４は電源スイッチ２に接続され、商用電源１から供給された電源から高周波出力するインバータ回路、５はインバータ回路４に接続された加熱コイルであり、加熱コイル５の上方に配設された支持板６に支持された鍋７を加熱する。８はこの支持板の温度を検出する温度センサ、９は制御電源回路１０から供給された制御電源により作動し、インバータ回路４を制御する制御手段である。
【０００３】
１２は温度センサー８により支持板６の温度があらかじめ定められた温度以上の高温のときに、制御手段９から出力されるのファン駆動信号でオンするリレー１１により、商用電源１が供給されて作動する冷却ファンであり、支持板６と装置本体ケース（図示せず）内を冷却する。
１３は温度センサー８により支持板６の温度があらかじめ定められた温度以上の高温のときに、制御手段９から出力される表示灯駆動駆動信号で「高温注意」等の警告を表示する表示灯でありＬＥＤ等が用いられる。加熱コイルが複数の場合は、各々に対応した表示灯が設けられる。
【０００４】
図８は制御手段９の詳細回路図を示すが、９ａは温度センサ８で検出された温度があらかじめ定められた温度以上かどうか判定し、この温度以上のときはファン駆動信号と表示灯駆動信号を出力する高温判断部、Ｔｒ１はベースが抵抗Ｒ１を介して高温判断部９ａに接続され、コレクタがリレー１１の励磁コイル１１ａに接続されエミッタが接地されたトランジスタ、Ｔｒ２はベースが抵抗Ｒ２を介して高温判断部９ａに接続され、コレクタが表示灯１３に接続されエミッタが接地されたトランジスタである。
【０００５】
以上のように構成された従来の誘導加熱調理器の動作を次に説明する。まず、電源スイッチ２をオンすると、制御電源回路１０とインバータ４に商用電源１が入力される。制御電源回路１０は制御電源を生成し、インバータ回路４と制御手段９に供給する。制御手段９からインバータ回路４に駆動信号が入力されると、商用電源１を整流した直流を高周波に変換し、加熱コイル５に高周波磁束を発生させ容器７を加熱する。
【０００６】
一方、制御回路９の高温判断部９ａは、温度センサー８により検出された支持板６の温度が、あらかじめ定められた温度、例えば７０℃以上かどうか判定し、この温度以上のときはファン駆動信号と表示灯駆動信号を出力する。
このファン駆動信号により、トランジスタＴｒ１がオンとなり、リレー１１の励磁コイルに電流が流れ、リレー接点１１ｂがオンとなり冷却ファン１２が駆動する。
同様に、表示灯駆動信号により、トランジスタＴｒ２がオンとなり、表示灯１３に高温注意の警告が表示される。
【０００７】
【発明が解決しようとする課題】
しかしながら、上記の従来の誘導加熱調理器では、加熱後の支持台６が高温の場合、制御手段９が高温であることを使用者に知らせるように表示灯１３に高温注意の警告を行っていたが、電源スイッチ２をオフした場合、制御手段９の制御電源の入力がなくなるため、高温判断部９ａは、温度センサー８により検出された支持板６の温度があらかじめ定められた温度以上の高温かどうか判定できず、ファン駆動信号と表示灯駆動信号も出力されないので、冷却ファン１２が駆動されず、また、表示灯１３も表示されず、使用者は支持板６が高温であることを認知することができなくなるという問題があった。
【０００８】
また、加熱後に電源スイッチ２を入れたままにしておくと、高温の場合、冷却ファン１２は駆動され、表示灯１３に警告表示はされるが、インバータや加熱コイル等に無駄な負荷電流が流れるという問題があった。
【０００９】
また、誘導加熱調理器の消費電力が大きい（例えば１００Ｖ用で１．５ＫＷ、２００Ｖ用で４．８ＫＷ等）ため、電源スイッチ２の接点や負荷用の負荷リレーがあるものは容量の大きいものでないと、その接点の寿命が短くなるという問題があった。
【００１０】
この発明は上記のような問題点を解消するためになされたもので、電源スイッチをオフした後でも、冷却ファンが駆動され、表示灯に警告表示がされて、使用者が支持板が高温であることを認知することができ、また、電源の必要のないときは無駄な負荷電流が流れない、待機電力０にでき、さらに、電源スイッチや負荷リレーの容量を小さくするとともに接点の寿命が長い信頼性の高い誘導加熱調理器を提供することを目的とする。
【００１１】
【課題を解決するための手段】
この発明に係る誘導加熱調理器は、商用電源を開閉する電源スイッチと、前記商用電源から高周波出力するインバータ回路と、このインバータ回路に接続された加熱コイルと、調理容器を支持する支持板と、その温度を検出する温度センサと、前記支持板の温度があらかじめ定められた温度以上の高温のときに警告表示をする表示手段と、前記支持板を冷却する冷却手段と、前記インバータ回路を制御するとともに、前記支持板が前記高温のときに前記表示手段及び前記冷却手段を駆動させる制御手段を備えた誘導加熱調理器において、前記電源スイッチの開閉を検出する開閉検出手段と、前記電源スイッチと並列に接続され前記商用電源を開閉する電源回路開閉手段とを備えたものである。
【００１２】
また、制御手段は、開閉検出手段が電源スイッチのオフを検出したとき前記インバータ回路への商用電源の供給を停止するものである。
【００１３】
また、支持台が高温のときには、電源回路開閉手段を閉として作動を続け、表示手段及び冷却手段の駆動を継続するものである。
【００１４】
また、電源スイッチの開閉検出手段は電源スイッチ部と連動する補助接点としたものである。
【００１５】
また、加熱コイルが複数のときに、表示手段は各々の前記加熱コイルの温度に対応した表示を各々前記加熱コイルの近傍にするものである。
【００１６】
また、商用電源とインバータ回路の間に負荷開閉手段を設け、制御手段は、前記インバータ回路が停止しているときにのみ、前記開閉手段を開閉させるものである。
【００１７】
【発明の実施の形態】
実施の形態１．
図１はこの発明の実施の形態１を示す誘導加熱調理器の回路図、図２は図１の要部回路図、図３は動作を説明するタイミングチャートである。図１において１は商用電源、２は電源スイッチ、３は電源スイッチ２の開閉を検出する開閉検出手段である補助接点であり、電源スイッチ２に連動してオン・オフする。２１は電源スイッチ２と補助接点３とから構成される電源スイッチ手段である。１４は電源スイッチ２と並列に接続され商用電源を開閉する電源回路開閉手段であるリレーである。
【００１８】
１０は電源スイッチ２に接続され前記商用電源１から制御電源を生成する制御電源回路、４は電源スイッチに接続され、商用電源１から供給された電源から高周波出力するインバータであるインバータ回路、５はインバータ回路４に接続された加熱コイルであり、加熱コイル５の上方に配設された支持板６に支持された調理容器である鍋７を加熱する。８はこの支持板の温度を検出する温度センサ、９は制御電源回路１０から供給された制御電源により作動し、インバータ回路４を制御する制御手段である。
【００１９】
１２はインバータ回路４が動作しているとき、または、温度センサー８により支持板６の温度があらかじめ定められた温度以上の高温のときに、リレー１１が作動し支持板６と装置本体ケース（図示せず）内を冷却する冷却ファン、１３は温度センサー８により支持板６の温度があらかじめ定められた温度以上の高温のときに「高温注意」等の警告を表示する表示手段である表示灯でありＬＥＤ等が用いられる。
【００２０】
図２は制御手段９の詳細回路図を示すが、９ａは温度センサ８で検出された温度があらかじめ定められた温度以上の高温（例えば７０℃以上）かどうか判定し、この温度以上のときはファン駆動信号及び高温注意信号を出力する高温判断部、Ｔｒ１はベースが抵抗Ｒ１を介して高温判断部９ａに接続され、コレクタがリレー１１の励磁コイル１１ａに接続されエミッタが接地されたトランジスタ、Ｔｒ２はベースが抵抗Ｒ２を介して高温判断部９ａに接続され、コレクタが表示灯１３に接続されエミッタが接地されたトランジスタである。Ｄ１とＤ２は高温判断部９ａのファン駆動信号と表示灯駆動信号の出力端子間に直列に接続されたダイオード、Ｔｒ３はベースが抵抗Ｒ２を介して接続され、コレクタがリレー１４の励磁コイル１４ａに接続されたトランジスタである。９ｂは補助接点３により電源スイッチ２が開閉されたかどうかを判断して、電源スイッチ２がオフのときにインバータ回路４に停止信号を出力する電源ＳＷ開閉判断部である。なお、高温判定部９ａは高温でなくとも、表示灯駆動信号を出力し表示灯１３に温度表示等を行う。
【００２１】
以上のように構成されたこの発明の実施の形態１に係る誘導加熱調理器の動作を図１〜３により次に説明する。まず、電源スイッチ２をオンすると（図３（ｂ））、制御電源回路１０とインバータ４に商用電源１が入力される（図３（ｃ）（ｄ））。制御電源回路１０は制御電源を生成し、インバータ回路４と制御手段９に供給する（図３（ｅ）（ｆ））。制御手段９からインバータ回路４に（駆動、ｏｒ制御）信号が入力されると、商用電源１を整流した直流を高周波に変換して高周波出力をし、加熱コイル５に高周波磁束を発生させ（図３（ｇ））容器７を加熱する。
なお、調理条件などの設定、自動オン、オフは図示しないが制御手段９に接続された操作盤により行い、電源スイッチ２は手動で行うメインスイッチである。
【００２２】
一方、制御回路９の高温判断部９ａは、温度センサー８により検出された支持板６の温度が、あらかじめ定められた温度、例えば図３（ａ）に示すように７０℃以上かどうか判定し、インバータ回路４の動作開始と同時にファン駆動信号と高温注意信号を出力する。
このファン駆動信号により、トランジスタＴｒ１がオンとなり、リレー１１の励磁コイルに電流が流れ、リレー接点１１ｂがオンとなり冷却ファン１２が駆動される（図３（ｈ））。加熱が開始されると、表示灯駆動信号により、トランジスタＴｒ２がオンとなっているが、高温注意信号により、表示灯１３に高温注意の警告が表示される（（図３（ｉ））。
同時に、高温注意信号により、トランジスタＴｒ３がオンとなり、リレー１４の励磁コイル１４ａに電流が流れ、リレー接点１４ｂがオンとなる（図３（ｋ））。
【００２３】
次に、加熱終了後に図３（ｂ）に示すようにｔ３で電源スイッチ２をオフとすると、補助スイッチ３が電源スイッチ２に連動してオフとなる（図３（ｊ））ことにより、制御手段９は電源スイッチ１のオフを検出し、インバータ回路４に商用電源供給停止信号を出力し、インバータ回路４を停止させる。
このとき、温度センサ８により支持台６の温度が７０℃以上のときには、高温判断部９ａからファン駆動信号及び高温注意信号が出力され続けるので、トランジスタＴｒ３がオンとなっており、リレー１４の励磁コイル１４ａに電流が流れ、リレー接点１４ｂがオンの状態が継続し（図３（ｋ））、制御手段９には制御電源が供給される状態が継続する（図３（ｆ））。同様に、トランジスタＴｒ１がオンとなり、リレー１１の励磁コイルに電流が流れ、リレー接点１１ｂがオンとなり冷却ファン１２が駆動する（図３（ｈ））。同様に、Ｔｒ２はオンとなっており、表示灯１３は高温注意の警告表示がされたままである（図３（ｈ）、（ｉ））。
【００２４】
そして、図３（ａ）に示すようにｔ４で７０℃未満となったときは、高温判断部９ａからファン駆動信号と高温注意信号が出力されないので、トランジスタＴｒ３がオフとなり、リレー１４がオフとなり（図３（ｋ））、制御手段９には制御電源の供給が停止される（図３（ｆ））。同様に、トランジスタＴｒ１、Ｔｒ２がオフとなり、冷却ファン１２は停止し、表示灯１３は警告表示が消える（図３（ｈ）、（ｉ））。
【００２５】
以上のように、電源スイッチ２をオフした後でも、冷却ファンが駆動され、表示灯に警告表示がされて、使用者が支持板が高温であることを認知することができ、また、電源の必要のないときは無駄な負荷電流が流れない、待機電力０にできる。さらに、電源スイッチ２と連動した補助スイッチ３により、電源スイッチ２がオフとなるとインバータ回路４に商用電源供給停止信号を出力し、インバータ回路４を停止させるので電源スイッチ２の容量を小さくできるとともに、電源スイッチ２の接点の寿命を長くすることができる。
【００２６】
実施の形態２．
実施の形態１では、加熱コイルが１個の場合を示したが、本実施の形態は加熱コイルが複数としたものである。図４はこの発明の実施の形態２を示す誘導加熱調理器の回路図である。図において図１と同一の部分には同一の符号を付し説明を省略する。４ａ、４ｂはインバータ回路、５ａ、５ｂは加熱コイル、６ａ、６ｂは支持板、７ａ、７ｂは鍋、８ａ，８ｂは温度センサである。
【００２７】
この構成において、動作も実施の形態１と同様であるが、加熱コイル５ａ、５ｂに対応した支持板６ａ、６ｂの温度を検出する温度センサ８ａ，８ｂは複数であり、各々の温度センサ８ａ，８ｂに対応した警告表示をし、温度センサ８ａ，８ｂのうち少なくとも一つの出力があらかじめ定められた温度以上となったときは、冷却ファン１２が駆動し、温度センサ８ａ、８ｂに対応した表示灯１３ａ、１３ｂに高温注意の警告が表示される。
そして、電源スイッチ２をオフとすると、インバータ回路４が停止し、温度センサ８ａ，８ｂのうち少なくとも一つの出力があらかじめ定められた温度以上となったときは、冷却ファン１２が駆動し続け、表示灯１３ａ、１３ｂに高温注意の警告が表示され続ける。
温度センサ８ａ，８ｂの出力が全てがあらかじめ定められた温度未満となったときは、冷却ファン１２が停止し、表示灯が消える。
【００２８】
以上のように、複数表示灯１３ａ、１３ｂで複数の加熱コイル５ａ，５ｂに対応した温度センサー８ａ，８ｂにより支持板６ａ，６ｂの各々温度に対応した警告表示をすることができ、どの加熱コイルが高温かを明らかにすることができる。
【００２９】
実施の形態３．
図５はこの発明の実施の形態３を示す誘導加熱調理器の回路図、図６は動作を説明するタイミングチャートである。図において実施の形態１の図１と同一の部分には同一の符号を付し説明を省略する。１５は商用電源とインバータ回路の間に設けられた開閉手段である負荷リレーである。
【００３０】
この構成における動作を図５，図６により説明する。
まず、時刻ｔ１で電源スイッチ２をオンすると（図６（ａ）、制御電源回路１０に商用電源１が入力される。制御電源回路１０は制御電源を生成し、インバータ回路４と制御手段９に供給する。制御手段９から、ｔ２で負荷リレー１５に加熱出力開始信号が入力（図６（ｂ））されると、負荷リレー１５がオンとなる（図６（ｃ））。
そして、インバータがｔ３で駆動され（図６（ｄ））、商用電源１を整流した直流を高周波に変換して高周波出力をし、加熱コイル５に高周波磁束を発生させ容器７を加熱する。
【００３１】
次に、制御手段９からｔ４でインバータ回路４に加熱出力停止信号が入力され（図６（ｂ））ると、インバータがｔ４で停止し（図６（ｄ））、ｔ５で負荷リレー１５がオフとなる（図６（ｃ））。
この他の動作は実施の形態１と同じであり説明を省略する。
【００３２】
以上のように、商用電源とインバータ回路４の間に開閉手段を設け、制御手段は９、インバータ回路４が停止しているときにのみ、負荷リレー１５をオン、オフさせるので、負荷リレー１５の接点の寿命を長くすることができる。
【００３３】
【発明の効果】
以上のように、この発明によれば、この発明に係る誘導加熱調理器は、商用電源を開閉する電源スイッチと、前記商用電源から高周波出力するインバータ回路と、このインバータ回路に接続された加熱コイルと、調理容器を支持する支持板と、その温度を検出する温度センサと、前記支持板の温度があらかじめ定められた温度以上の高温のときに警告表示をする表示手段と、前記支持板を冷却する冷却手段と、前記インバータ回路を制御するとともに、前記支持板が前記高温のときに前記表示手段及び前記冷却手段を駆動させる制御手段を備えた誘導加熱調理器において、前記電源スイッチの開閉を検出する開閉検出手段と、前記電源スイッチと並列に接続され前記商用電源を開閉する電源回路開閉手段とを備えたので、電源スイッチをオフした後でも、冷却ファンを駆動し、表示灯に警告表示をし、また、電源スイッチのオフを検知した後にインバータ回路への商用電源の供給を停止させることができる。
【００３４】
また、制御手段は、開閉検出手段が電源スイッチのオフを検出したとき前記インバータ回路への商用電源の供給を停止するので、電源スイッチの容量を小さくできるとともに、電源スイッチの接点の寿命を長くすることができる。
【００３５】
また、支持台が高温のときには、電源回路開閉手段を閉として作動を続け、表示手段及び冷却手段の駆動を継続するので、電源スイッチをオフした後でも、冷却ファンが駆動され、表示灯に警告表示がされて、使用者が支持板が高温であることを認知することができる。
【００３６】
また、電源スイッチの開閉検出手段は電源スイッチ部と連動する補助接点としたので、簡単な構成で電源スイッチの開閉を検出することができる。
【００３７】
また、加熱コイルが複数のときに、表示手段は各々の前記加熱コイルの温度に対応した表示を各々加熱コイルの近傍にするので、高温部を明確にして警告表示をすることができる。
【００３８】
また、商用電源とインバータ回路の間に負荷開閉手段を設け、制御手段は、前記インバータ回路が停止しているときにのみ、前記開閉手段を開閉させるので、負荷リレーの容量を小さくするとともに接点の寿命を長くすることができる。
【図面の簡単な説明】
【図１】この発明の実施の形態１を示す誘導加熱調理器の回路図である。
【図２】この発明の実施の形態１を示す誘導加熱調理器の要部回路図である。
【図３】この発明の実施の形態１を示す誘導加熱調理器の動作を説明するタイミングチャートである。
【図４】この発明の実施の形態２を示す誘導加熱調理器の回路図である。
【図５】この発明の実施の形態３を示す誘導加熱調理器の回路図である。
【図６】この発明の実施の形態３を示す誘導加熱調理器の動作を説明するタイミングチャートである。
【図７】従来の誘導加熱調理器の回路図である。
【図８】従来の誘導加熱調理器の要部回路図である。
【符号の説明】
１  商用電源、２  電源スイッチ、３  補助接点、４  インバータ回路、５  加熱コイル、６  支持板、７  鍋、８  温度センサ、９  制御手段、９ａ  高温判断部、９ｂ  電源ＳＷ開閉検出判断部、１０  制御電源回路、１１，１４、１５  リレー、１２  冷却ファン、１３  表示灯。